(57)【特許請求の範囲】
【請求項１】
対向する一対の側部並びに両側部を連結する連結部を有し側部と連結部とで囲まれた開口窓に配線器具の一部を挿入した形で当該配線器具を保持する枠本体と、枠本体を壁面のような造営面に固定する固定手段と、一方の側部から開口窓側へ突出し配線器具の側面に設けられた溝部に係合する係合突起と、他方の側部に設けられ配線器具の側面に突出する突出部に係脱自在に係止する係止片とを備え、係止片はばね性を有する部材により形成され、側部に固定される固定部と、固定部から側部に略直交する方向へ延設されるとともに側部と交差するように湾曲し且つその先端同士で橋架部により橋架された一対の湾曲部と、当該橋架部の中央端縁から突設され手で操作されて湾曲部を撓ませる操作部とを具備し、湾曲部は、枠本体の側部に設けられた貫通孔に挿通され、固定部の貫通孔側の端縁より側部に略直交する方向に立ち上がってから略半円状に湾曲し貫通孔を通って側部と交差し、さらに略Ｕ形に湾曲してなり、両湾曲部の先端部分を開口窓と反対方向へ折曲し側部の貫通孔の裏面側近傍に位置するような形状とすることで配線器具の突出部に係止される係止部が形成されることを特徴とする配線器具用取付枠。
【請求項２】
係止片の固定部が湾曲部に対して側部の開口窓側に固定されて成ることを特徴とする請求項１記載の配線器具用取付枠。
【請求項３】
側部に突設された固定用突起を挿通する挿通孔が係止片の固定部に設けられ、挿通孔から突出する固定用突起の先端部がかしめられて成ることを特徴とする請求項１記載の配線器具用取付枠。
【請求項４】
枠本体が単位寸法の配線器具を複数個並べて保持できる寸法に形成され、複数個の配線器具の溝部に各々係合する複数の係合突起が一方の側部に設けられるとともに各配線器具の突出部に各々係止する複数個の係止片が他方の側部に設けられたことを特徴とする請求項１記載の配線器具用取付枠。
【請求項５】
枠本体が単位寸法の配線器具を複数個並べて保持できる寸法に形成され、一方の側部に設けられて複数個の配線器具の溝部に各々係合する複数の係合突起と、他方の側部に設けられ各配線器具の突出部に各々係止する複数個の係止片とを備え、これら複数個の係止片が一体に形成されたことを特徴とする請求項１記載の配線器具用取付枠。
【請求項６】
固定手段は枠本体を埋込ボックスに取り付けるための取付ねじが挿通されるねじ挿通孔から成り、枠本体の両側部に曲げ部が設けられたことを特徴とする請求項１記載の配線器具用取付枠。
【発明の詳細な説明】
【０００１】
【発明の属する技術分野】
本発明は、スイッチやコンセントのような配線器具を壁面等の造営面に埋込配設するために用いられる配線器具用取付枠に関するものである。
【０００２】
【従来の技術】
従来より、スイッチやコンセントのような配線器具を壁面等の造営面に埋込配設するために、図１３に示すような金属製の配線器具用取付枠（以下、「取付枠」と略す）３０が用いられている。この取付枠３０は、壁に埋設された埋込ボックス５０の開口面側に取付ねじ（ボックスねじ）５１，５１によって取り付けられ、さらに合成樹脂製のプレート枠５２がねじ５３，５３により前面に取着されるとともに、プレート枠５２の前面に化粧プレート５４が被着されるようになっている。また、取付枠３０の両側部３１ａ，３１ｂには配線器具２０の組立枠２２，２２に設けられた溝部２２ａに係合する係合突起３２ａ，３２ｂが設けられ、且つ一方の側部３１ｂに溝孔３３が設けられて開口窓３０ａとの間で薄肉部３４が形成されている。ここで、取付枠３０への配線器具２０の取り付けは、配線器具２０の一部を取付枠３０の開口窓３０ａに挿入するようにして一方の側部３１ａの係合突起３２ａを片側の組立枠２２の溝部２２ａに係合し、溝孔３３にドライバ等の工具を挿入してこじることにより薄肉部３４を突出変形させて他方の側部３１ｂの係合突起３２ｂを反対側の組立枠２２の溝部２２ａに係合することで行われる。このものにあっては、配線器具２０を取付枠３０に取り付ける際に取付枠３０の開口窓３０ａに一部を挿入した状態に配線器具２０を作業者が手で位置決めし且つ保持しながらドライバ等の工具によって薄肉部３４を突出変形させなければならず、作業性が悪いなどの問題を有していた。
【０００３】
そこで、上記問題を解決するものとして図１４に示すような取付枠４０が既に提案されている（実公昭５８−５２８１６号公報参照）。この取付枠４０は、一方の側部４１ａに配線器具２０の組立枠２２に設けられた溝部２２ａに係合する係合突起４２ａが設けられ、図１５及び図１６に示すような係止片４３が他方の側部４１ｂに設けられた通孔４４より起立状態に突設されており、係止片４３の係止部４３ａが組立枠２２の係止爪２２ｂの下方の切欠２３内に入れ込むことができるようにしてある。
【０００４】
而して、取付枠４０の開口窓４０ａに配線器具２０の一部を挿入するようにして片方の組立枠２２の溝部２２ａに取付枠４０の係合突起４２ａを係合し、その状態で係止片４３が切欠２３に入り込み係止部４３ａが係止爪２２ｂ，２２ｂの下方の配線器具２０の凹所２４内に入り込んで配線器具２０が取付枠４０に取り付けられる。すなわち、本従来例では先の従来例と異なり、ドライバ等の工具を使わずに配線器具２０を取付枠４０に容易に取り付けることができる。
【０００５】
【発明が解決しようとする課題】
ところが、後者の従来例においても取付枠４０から配線器具２０を取り外すときには、図１７に示すように係止片４３の引っかけ外し部４３ｂをドライバ６０にて押圧して係止片４３の係止部４３ａと係止爪２２ｂ，２２ｂとの係止を外していた。すなわち、その形状や引っかけ外し部４３ｂの寸法などから係止片４３の有効長さ（所謂、ばねスパン）が短く、ばね定数が大きいために係止片４３を手で係止解除方向に撓ませることができず、ドライバ等の工具が必要であり不便であった。
【０００６】
本発明は上記事情に鑑みて為されたものであり、その目的とするところは、工具を使わずに手で簡単に配線器具を取り外すことができる配線器具用取付枠を提供することにある。
【０００７】
【課題を解決するための手段】
請求項１の発明は、上記目的を達成するために、対向する一対の側部並びに両側部を連結する連結部を有し側部と連結部とで囲まれた開口窓に配線器具の一部を挿入した形で当該配線器具を保持する枠本体と、枠本体を壁面のような造営面に固定する固定手段と、一方の側部から開口窓側へ突出し配線器具の側面に設けられた溝部に係合する係合突起と、他方の側部に設けられ配線器具の側面に突出する突出部に係脱自在に係止する係止片とを備え、係止片はばね性を有する部材により形成され、側部に固定される固定部と、固定部から側部に略直交する方向へ延設されるとともに側部と交差するように湾曲し且つその先端同士で橋架部により橋架された一対の湾曲部と、当該橋架部の中央端縁から突設され手で操作されて湾曲部を撓ませる操作部とを具備し、湾曲部は、枠本体の側部に設けられた貫通孔に挿通され、固定部の貫通孔側の端縁より側部に略直交する方向に立ち上がってから略半円状に湾曲し貫通孔を通って側部と交差し、さらに略Ｕ形に湾曲してなり、両湾曲部の先端部分を開口窓と反対方向へ折曲し側部の貫通孔の裏面側近傍に位置するような形状とすることで配線器具の突出部に係止される係止部が形成されることを特徴とし、湾曲部によって係止片の有効長さ（所謂、ばねスパン）を従来例よりも長くして係止片のばね定数を小さくすることができる。その結果、操作部を手で操作することで湾曲部を撓めることが可能となり、係止片と配線器具の突出部との係止を外して工具を使わずに手で簡単に配線器具を取り外すことができる。さらに、枠本体の側部に対する係止片の配設スペースが縮小できて全体の小型化が図れる。
【０００９】
請求項２の発明は、請求項１の発明において、係止片の固定部が湾曲部に対して側部の開口窓側に固定されて成ることを特徴とし、請求項１の発明の作用に加えて、係止片が固定される側の側部の幅寸法を低減することができる。
【００１０】
請求項３の発明は、請求項１の発明において、側部に突設された固定用突起を挿通する挿通孔が係止片の固定部に設けられ、挿通孔から突出する固定用突起の先端部がかしめられて成ることを特徴とし、請求項１の発明の作用に加えて、枠本体に対して係止片を容易に固定することができる。
【００１１】
請求項４の発明は、請求項１の発明において、枠本体が単位寸法の配線器具を複数個並べて保持できる寸法に形成され、複数個の配線器具の溝部に各々係合する複数の係合突起が一方の側部に設けられるとともに各配線器具の突出部に各々係止する複数個の係止片が他方の側部に設けられたことを特徴とし、請求項１の発明の作用に加えて、１つの枠本体に複数個の配線器具を一緒に並べて取り付けることができ、また、複数個の係止片を一体に形成する場合に比較して係止片の形状が簡単になって製造コストを抑えることができるとともに、組立の際にパーツフィーダを使って係止片を搬送することができて組立が容易になる。
【００１２】
請求項５の発明は、請求項１の発明において、枠本体が単位寸法の配線器具を複数個並べて保持できる寸法に形成され、一方の側部に設けられて複数個の配線器具の溝部に各々係合する複数の係合突起と、他方の側部に設けられ各配線器具の突出部に各々係止する複数個の係止片とを備え、これら複数個の係止片が一体に形成されたことを特徴とし、請求項１の発明の作用に加えて、１つの枠本体に複数個の配線器具を一緒に並べて取り付けることができ、また、複数個の係止片を別々に製造し且つ組み立てる場合に比較して部品コストの低減と組立効率の向上が図れる。
【００１３】
請求項６の発明は、請求項１の発明において、固定手段は枠本体を埋込ボックスに取り付けるための取付ねじが挿通されるねじ挿通孔から成り、枠本体の両側部に曲げ部が設けられたことを特徴とし、請求項１の発明の作用に加えて、曲げ部によって両側部の強度を向上させ、取付ねじを締め付けた場合の枠本体の変形を防ぐことができる。
【００１４】
【発明の実施の形態】
（実施形態１）
以下、図１〜図９を参照して本発明の実施形態１を詳細に説明する。
【００１５】
図１〜図３に示すように本実施形態の配線器具用取付枠（以下、「取付枠」と略す）Ａの枠本体１は金属製であって、対向する一対の側部２ａ，２ｂと、両側部２ａ，２ｂを連結する連結部３，３と、側部２ａ，２ｂ及び連結部３，３で囲まれた開口窓４とを有する矩形枠状に形成されている。また、各連結部３，３には、枠本体１を埋込ボックス５０に取り付けるための取付ねじ５１（図１３参照）が挿通される長孔状のねじ挿通孔３ａと、壁面を形成する壁パネル等の壁材に枠本体１を取り付けるための挟み金具（図示せず）が係止される挟み金具係止溝３ｂ，３ｂと、プレート枠５２を取り付けるためのねじ５３が螺合するねじ孔３ｃとが設けてある。
【００１６】
一対の側部２ａ，２ｂは長手方向に沿った外側（開口窓４と反対側）の端縁が前方へ折曲されており、一方の側部２ａの長手方向に沿った内側（開口窓４に臨む側）の端縁には、開口窓４の方へ突出し配線器具２０の組立枠２２に設けられた溝部２２ａに係合する係合突起５が長手方向に沿って等間隔に３個設けてある。ここで、本実施形態においては、規格化された１個モジュール寸法の配線器具（例えば、日本工業規格に規定された大角形連用配線器具（ＪＩＳ  Ｃ  ８３０４参照））を短幅方向に３個並べて取り付けることができるように枠本体１並びに開口窓４の寸法が設定してある。
【００１７】
他方の側部２ｂにはスリット状の３つの貫通孔６が長手方向に沿って列設されており、図４に示すように各貫通孔６に一部を挿通した状態で３個の係止片１０が側部２ｂに固定される。
【００１８】
係止片１０は、可撓性（ばね性）を有する板状の金属部材で形成され、図１及び図４に示すように側部２ｂに固定される固定部１１，１１と、各固定部１１，１１から側部２ｂに略直交する方向へ延設されるとともに側部２ｂと交差するように湾曲し且つ先端が橋架部１２ａにより橋架された湾曲部１２，１２と、湾曲部１２，１２の先端（橋架部１２ａの中央端縁）から突設された操作部１３とを具備する。固定部１１，１１には側部２ｂに突設された固定用突起７を挿通する挿通孔１１ａが設けられ、図５に示すように挿通孔１１ａに挿通されて突出する固定用突起７の先端部がかしめられることで固定部１１，１１が側部２ｂに固定される。湾曲部１２，１２は、図４に示すように固定部１１，１１の貫通孔６側の端縁より側部２ｂに略直交する方向に立ち上がってから略半円状に湾曲し貫通孔６を通って側部２ｂと交差し、さらに略Ｕ形に湾曲して先端部が側部２ｂの貫通孔６の裏面側近傍に位置するような形状に形成されている。ここで、湾曲部１２，１２の先端部分を開口窓４と反対方向へ略直角に折曲することで係止部１４，１４が形成されている。また、操作部１３は側部２ｂの貫通孔６を通って湾曲部１２，１２の間から湾曲部１２，１２の半円部分を超える位置まで突出しており、その先端部分が開口窓４と反対方向へ略直角に折曲されている。
【００１９】
そして、配線器具２０の一部（器具本体２１の前面に突出するボス部２１ａ）を枠本体１の背面側から開口窓４に挿入するようにして一方の組立枠２２の溝部２２ａに側部２ａの係合突起５を係合させ、さらにその状態から器具本体２１を枠本体１の方へ押し付けていくと、他方の組立枠２２に突設されている一対の係止爪２２ｂ，２２ｂが係止片１０の湾曲部１２，１２における傾斜面１２ｂに当接し、湾曲部１２，１２が係止爪２２ｂ，２２ｂに押されて撓む。そこからさらに器具本体２１を枠本体１の方へ押し付ければ、やがて係止爪２２ｂ，２２ｂが湾曲部１２，１２を乗り越え、図７〜図９に示すように係止爪２２ｂ，２２ｂが係止片１０の係止部１４，１４に係止されて器具本体２１が取付枠Ａに取り付けられる。
【００２０】
一方、操作部１３を操作して開口窓４と反対側に押圧すれば、湾曲部１２，１２が撓んで係止部１４，１４と配線器具２０の係止爪２２ｂ，２２ｂとの係止が外れ、取付枠Ａから配線器具２０を取り外すことができる。すなわち、本実施形態の係止片１０には各固定部１１，１１から側部２ｂに略直交する方向へ延設されるとともに側部２ｂと交差するように湾曲した湾曲部１２，１２が設けてあるため、従来例の係止片４３に比較して有効長さ（所謂、ばねスパン）を長くして係止片１０のばね定数を小さくすることができる。その結果、操作部１３を手で操作することで湾曲部１２，１２を撓めることが可能となり、工具を使わずに手で簡単に配線器具２０を取付枠Ａから取り外すことができるのである。
【００２１】
また、本実施形態では枠本体１の側部２ｂに設けた貫通孔６に係止片１０の湾曲部１２，１２を挿通させているため、枠本体１の側部２ｂに対する係止片１０の配設スペースが縮小できて全体の小型化が図れるという利点がある。しかも、係止片１０の固定部１１，１１を湾曲部１２，１２に対して側部２ｂの開口窓４側に固定しているので、図６に示すように側部４１ｂの開口窓４０ａと反対側で係止片４３を固定していた従来例の幅寸法Ｌ２に比較して、係止片１０が固定される側の側部２ｂの幅寸法を低減することで枠本体１の幅寸法Ｌ１が低減できるという利点がある。さらに、側部２ｂに突設された固定用突起７を挿通孔１１ａに挿通し、この挿通孔１１ａから突出する固定用突起７の先端部をかしめることで固定部１１，１１を側部２ｂに固定するようにしているから、係止片４３を溶接等によって側部４１ｂに固定していた従来例に比較して枠本体１に対する係止片１０の固定が容易に行えるという利点がある。
【００２２】
（実施形態２）
図１０を参照して本発明の実施形態２を説明する。但し、本実施形態の基本的な構成は実施形態１と共通するので、共通する構成については同一の符号を付して説明を省略し、本実施形態の特徴となる構成についてのみ説明する。
【００２３】
本実施形態は、図１０に示すように実施形態１における３個の係止片１０の隣り合う固定部１１同士を繋ぐことで３個が一体となった係止片ブロック１０′を形成した点に特徴がある。なお、この係止片ブロック１０′も実施形態１の係止片１０と同様に、側部２ｂに突設された固定用突起７が挿通孔１１ａに挿通され、この挿通孔１１ａから突出する固定用突起７の先端部がかしめられることで固定部１１，１１が側部２ｂに固定される。
【００２４】
而して、本実施形態では実施形態１における３個の係止片１０が一体となった係止片ブロック１０′を形成したので、実施形態１のように複数個の係止片１０を別々に製造し且つ組み立てる場合に比較して部品コストの低減と組立効率の向上が図れるという利点がある。
【００２５】
なお、係止片ブロック１０′を用いずに実施形態１のように複数個の係止片１０を用いる場合には、係止片ブロック１０′に比較して係止片１０の形状が簡単になって製造コストを抑えることができるとともに、組立の際に部品を自動搬送する装置（所謂、パーツフィーダ）を使って係止片１０を搬送することができて組立が容易になるという利点がある。
【００２６】
（実施形態３）
図１１及び図１２を参照して本発明の実施形態３を説明する。但し、本実施形態の基本的な構成は実施形態１と共通するので、共通する構成については同一の符号を付して説明を省略し、本実施形態の特徴となる構成についてのみ説明する。
【００２７】
実施形態１又は２の取付枠Ａは、図１３に示した従来例と同様に、枠本体１の連結部３，３に設けられたねじ挿通孔３ａに取付ねじ５１を挿通し、この取付ねじ５１を埋込ボックス５０に設けられた舌片５０ａのねじ孔５０ｂに螺合することで埋込ボックス５０に取り付けられるのであるが、取付ねじ５１を締め付けたときに枠本体１が変形し、取付枠Ａの前面にプレート枠５２並びに化粧プレート５４を取り付けた際に配線器具２０の前面が化粧プレート５４の前面よりも沈み込んで見栄えが悪くなってしまう虞がある。
【００２８】
そこで本実施形態は、図１１及び図１２に示すように枠本体１の両側部２ａ，２ｂに曲げ部８を設けることで枠本体１の強度を向上させており、この点に本実施形態の特徴がある。なお、曲げ部８は、側部２ａ，２ｂの長手方向に沿った開口窓４側の端部が枠本体１の前方へ略直角に折曲されることで形成されている。
【００２９】
このように本実施形態では、枠本体１の両側部２ａ，２ｂに曲げ部８を設けたので、曲げ部８によって両側部２ａ，２ｂの強度を向上させ、取付ねじ５１を締め付けた場合の枠本体１の変形を防ぐことができる。
【００３０】
【発明の効果】
請求項１の発明は、上記目的を達成するために、対向する一対の側部並びに両側部を連結する連結部を有し側部と連結部とで囲まれた開口窓に配線器具の一部を挿入した形で当該配線器具を保持する枠本体と、枠本体を壁面のような造営面に固定する固定手段と、一方の側部から開口窓側へ突出し配線器具の側面に設けられた溝部に係合する係合突起と、他方の側部に設けられ配線器具の側面に突出する突出部に係脱自在に係止する係止片とを備え、係止片はばね性を有する部材により形成され、側部に固定される固定部と、固定部から側部に略直交する方向へ延設されるとともに側部と交差するように湾曲し且つその先端同士で橋架部により橋架された一対の湾曲部と、当該橋架部の中央端縁から突設され手で操作されて湾曲部を撓ませる操作部とを具備し、湾曲部は、枠本体の側部に設けられた貫通孔に挿通され、固定部の貫通孔側の端縁より側部に略直交する方向に立ち上がってから略半円状に湾曲し貫通孔を通って側部と交差し、さらに略Ｕ形に湾曲してなり、両湾曲部の先端部分を開口窓と反対方向へ折曲し側部の貫通孔の裏面側近傍に位置するような形状とすることで配線器具の突出部に係止される係止部が形成されるので、湾曲部によって係止片の有効長さ（所謂、ばねスパン）を従来例よりも長くして係止片のばね定数を小さくすることができ、その結果、操作部を手で操作することで湾曲部を撓めることが可能となり、係止片と配線器具の突出部との係止を外して工具を使わずに手で簡単に配線器具を取り外すことができるという効果がある。さらに、枠本体の側部に対する係止片の配設スペースが縮小できて全体の小型化が図れるという効果がある。
【００３２】
請求項２の発明は、係止片の固定部が湾曲部に対して側部の開口窓側に固定されて成るので、請求項１の発明の効果に加えて、係止片が固定される側の側部の幅寸法を低減することができるという効果がある。
【００３３】
請求項３の発明は、側部に突設された固定用突起を挿通する挿通孔が係止片の固定部に設けられ、挿通孔から突出する固定用突起の先端部がかしめられて成るので、請求項１の発明の効果に加えて、枠本体に対して係止片を容易に固定することができるという効果がある。
【００３４】
請求項４の発明は、枠本体が単位寸法の配線器具を複数個並べて保持できる寸法に形成され、複数個の配線器具の溝部に各々係合する複数の係合突起が一方の側部に設けられるとともに各配線器具の突出部に各々係止する複数個の係止片が他方の側部に設けられたので、請求項１の発明の効果に加えて、１つの枠本体に複数個の配線器具を一緒に並べて取り付けることができ、また、複数個の係止片を一体に形成する場合に比較して係止片の形状が簡単になって製造コストを抑えることができるとともに、組立の際にパーツフィーダを使って係止片を搬送することができて組立が容易になるという効果がある。
【００３５】
請求項５の発明は、枠本体が単位寸法の配線器具を複数個並べて保持できる寸法に形成され、一方の側部に設けられて複数個の配線器具の溝部に各々係合する複数の係合突起と、他方の側部に設けられ各配線器具の突出部に各々係止する複数個の係止片とを備え、これら複数個の係止片が一体に形成されたので、請求項１の発明の効果に加えて、１つの枠本体に複数個の配線器具を一緒に並べて取り付けることができ、また、複数個の係止片を別々に製造し且つ組み立てる場合に比較して部品コストの低減と組立効率の向上が図れるという効果がある。
【００３６】
請求項６の発明は、固定手段は枠本体を埋込ボックスに取り付けるための取付ねじが挿通されるねじ挿通孔から成り、枠本体の両側部に曲げ部が設けられたので、請求項１の発明の効果に加えて、曲げ部によって両側部の強度を向上させ、取付ねじを締め付けた場合の枠本体の変形を防ぐことができるという効果がある。
【図面の簡単な説明】
【図１】実施形態１を示し、（ａ）は分解斜視図、（ｂ）は斜視図である。
【図２】同上を示し、（ａ）は正面図、（ｂ）は側面図、（ｃ）は他の方向から見た側面図である。
【図３】同上の正面図である。
【図４】図３におけるＸ−Ｘ線断面矢視図である。
【図５】同上における係止片の固定方法を説明するための説明図である。
【図６】同上の説明図である。
【図７】同上の配線器具を取り付けた状態を示し、（ａ）は正面図、（ｂ）は側面図、（ｃ）は他の方向から見た側面図である。
【図８】同上の配線器具を取り付けた状態の正面図である。
【図９】図８におけるＹ−Ｙ線断面矢視図である。
【図１０】実施形態２を示し、（ａ）は分解斜視図、（ｂ）は斜視図である。
【図１１】実施形態３の斜視図である。
【図１２】同上の側面図である。
【図１３】従来例を示す斜視図である。
【図１４】他の従来例を示す一部省略した斜視図である。
【図１５】同上における係止片の斜視図である。
【図１６】同上の要部断面図である。
【図１７】同上の取付状態を示す概略断面図である。
【符号の説明】
Ａ  配線器具用取付枠
１  枠本体
２ａ，２ｂ  側部
３  連結部
４  開口窓
５  係合突起
１０  係止片
１１  固定部
１２  湾曲部
１３  操作部
１４  係止部
【図１】
0003598893.tif 000002
【図２】
0003598893.tif 000003
【図３】
0003598893.tif 000004
【図４】
0003598893.tif 000005
【図５】
0003598893.tif 000006
【図６】
0003598893.tif 000007
【図７】
0003598893.tif 000008
【図８】
0003598893.tif 000009
【図９】
0003598893.tif 000010
【図１０】
0003598893.tif 000011
【図１１】
0003598893.tif 000012
【図１２】
0003598893.tif 000013
【図１３】
0003598893.tif 000014
【図１４】
0003598893.tif 000015
【図１５】
0003598893.tif 000016
【図１６】
0003598893.tif 000017
【図１７】
0003598893.tif 000018